【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
グラフィカルユーザインターフェスに複数の商品に関する情報を再配置して表示する表示方法であって、
複数の商品について、各商品の現在の最高ビッド価格と最低アスク価格を含む市場情報を受けるステップ、
価格軸における複数の価格レベルに対応する複数の位置を含む領域が商品毎に設けられ、複数の商品に対し複数の領域をグラフィカルユーザインターフェス上に表示するステップ、
各領域において対応する商品に設けた複数の位置の中で最高ビッド価格に対応する第１の位置に第１インジケータを表示すると共に、対応する商品に設けた複数の位置の中で最低アスク価格に対応する第２の位置に第２インジケータを表示し、対応する商品の最高ビッド価格又は最低アスク価格が変わると第１及び第２インジケータは、価格軸に対し移動するように表示されるステップ、
複数の領域をリンクするステップ、
リンクされた複数の領域の一つを選択し、選択した領域をマスタ領域とするステップ、
マスタ領域内の価格軸を再配置するコマンドを受けるステップ、
該コマンドを受け、マスタ領域にリンクされた領域における価格軸を再配置し、リンクされた領域内の第１、第２インジケータは再配置された価格軸に沿って、対応する商品の最高ビッド価格又は最低アスク価格である新たな位置に移動されるステップ、
を含む、表示方法。
【請求項２】
更に、複数の領域とリンクされていない領域に対しては、上記コマンドを受けても再配置を行わないステップを含む、請求項１に記載の表示方法。
【請求項３】
更に、上記複数の領域のそれぞれを、グラフィカルユーザインターフェス上の異なったウインドウに表示するステップを含む、請求項１に記載の表示方法。
【請求項４】
更に、上記複数の領域の全てを、グラフィカルユーザインターフェス上の同じウインドウに表示するステップを含む、請求項１に記載の表示方法。
【請求項５】
上記コマンドは、手動で発令されるコマンドである、請求項１に記載の表示方法。
【請求項６】
上記コマンドは、自動的に発令されるコマンドである、請求項１に記載の表示方法。
【請求項７】
上記自動的に発令されるコマンドは、タイマーによりトリガされる、請求項６に記載の表示方法。
【請求項８】
上記自動的に発令されるコマンドは、最後に取引された価格を領域の中心に配置する、請求項６に記載の表示方法。
【請求項９】
上記自動的に発令されるコマンドは、場内価格を領域の中心に配置する、請求項６に記載の表示方法。
【請求項１０】
更に、再配置するコマンドのトリガーを決定するために用いられる再配置オプションが選択の一つに含まれる、複数の再配置オプションから成るオプションメニューを表示するステップを含む、請求項１に記載の表示方法。
【請求項１１】
更に、ユーザによる電子取引所での商品の買い又は売り注文の作業の順序を示す作業手順インジケータが複数の領域の一つとして表示されるステップを含み、ユーザ入力装置を用いた単一のアクションによって作業手順インジケータが選ばれると、電子メッセージが送られ、ユーザの注文が取り消しされる、請求項１に記載の表示方法。
【請求項１２】
上記単一のアクションは、ユーザ入力装置の単一クリックである、請求項１１に記載の表示方法。
【請求項１３】
上記単一のアクションは、ユーザ入力装置のダブルクリックである、請求項１１に記載の表示方法。
【請求項１４】
更に、ユーザの注文が、電子取引所において取り消された場合、領域から作業手順インジケータが削除されるステップを含む、請求項１１に記載の表示方法。
【請求項１５】
上記作業手順インジケータは、ユーザによりエンターされた単一の注文を表す、請求項１１に記載の表示方法。
【請求項１６】
上記作業手順インジケータは、ユーザによりエンターされた複数の注文を表す、請求項１１に記載の表示方法。
【請求項１７】
グラフィカルユーザインターフェスに複数の商品に関する情報を再配置して表示する、コンピュータで実行可能な表示方法であって、
第１の商品についての市場情報であって、価格に対応する量の市場情報を受けるステップ、
第２の商品についての市場情報であって、価格に対応する量の市場情報を受けるステップ、
第１の時点において、第１の静的な価格軸の少なくとも一部に対応し、複数の価格レベルに対応する複数の位置から成る、第１の商品についての第１の情報表示領域を電子的に表示するステップ、
第１の時点において、第２の静的な価格軸の少なくとも一部に対応し、複数の価格レベルに対応する複数の位置から成る、第２の商品についての第２の情報表示領域を電子的に表示するステップ、
第１の情報表示領域の価格レベルに対応した位置に、価格レベル毎に第１の商品の量を表す複数の第１のインジケータを電子的に表示するステップ、
第２の情報表示領域の価格レベルに対応した位置に、価格レベル毎に第２の商品の量を表す複数の第２のインジケータを電子的に表示するステップ、
第１の商品をマスタ商品として選択するステップ、
マスタ商品の第１の情報表示領域の情報を再配置するコマンドを受けるステップ、
上記コマンドに応答して、第２の時点において、複数の第１のインジケータを、第１の情報表示領域の新しい位置であって、第１の静的な価格軸の価格レベルに対応する位置に移動すると共に、複数の第２のインジケータを、第２の情報表示領域の新しい位置であって、第２の静的な価格軸の価格レベルに対応する位置に移動するように、第１、第２の静的な価格軸を電子的に再配置するステップ、
を含む、表示方法。
【請求項１８】
更に、再配置を行うため、第１、第２の情報表示領域をリンクするステップを含む、請求項１７に記載の方法。
【請求項１９】
更に、追加の商品に係る市場情報を受け、追加の静的な価格軸に対応する追加の商品についての追加の情報表示領域を表示するステップを含む、請求項１７に記載の方法。
【請求項２０】
更に、マスタ商品に対応する第１の情報表示領域を再配置するコマンドに応答して追加の静的な価格軸を再配置するステップを含む、請求項１９に記載の方法。
【請求項２１】
第１の商品、第２の商品、追加の商品の組み合わせの中から選ばれた複数の商品を、再配置を行う目的で、互いにリンクするステップを含む、請求項１９に記載の方法。
【請求項２２】
請求項１７に記載の方法を実行させるためのプログラムを記録した、コンピュータで読み取り可能な記録媒体。
【請求項２３】
上記第１の情報表示領域を再配置させるためのコマンドは、手動で発令されるコマンドである、請求項１７に記載の表示方法。
【請求項２４】
上記第１の情報表示領域を再配置させるためのコマンドは、自動的に発令されるコマンドである、請求項１７に記載の表示方法。
【請求項２５】
更に、上記第１、第２の静的な価格軸の少なくとも一部を表示するステップを含む、請求項１７に記載の表示方法。
【請求項２６】
上記第１の情報表示領域は、第１のウインドに表示され、上記第２の情報表示領域は、第２のウインドに表示される、請求項１７に記載の表示方法。
【請求項２７】
上記第１の情報表示領域は、第１のビッド表示領域と第１のアスク表示領域を含む一方、上記第２の情報表示領域は、第２のビッド表示領域と第２のアスク表示領域を含む、請求項１７に記載の表示方法。
【請求項２８】
上記複数の第１のインジケータは、現在の市場における第１の商品の最高ビッド価格に対する量を表す第１の最高ビッドインジケータと現在の市場における第１の商品の最低アスク価格に対する量を表す第１の最低アスクインジケータを有する、請求項２７に記載の表示方法。
【請求項２９】
上記複数の第２のインジケータは、現在の市場における第２の商品の最高ビッド価格に対する量を表す第２の最高ビッドインジケータと現在の市場における第２の商品の最低アスク価格に対する量を表す第２の最低アスクインジケータを有する、請求項２８に記載の表示方法。
【請求項３０】
第１、第２の静的な価格軸を再配置するステップは、対応する商品の場内価格が各情報表示領域の中央に表示されるように、各静的な価格軸を動かすステップを含む、請求項２９に記載の表示方法。
【請求項３１】
更に、
各位置が第１の静的な価格軸に沿った価格に対応する、複数の位置を有する第１の最後の取引表示領域を表示するステップ、
各位置が第２の静的な価格軸に沿った価格に対応する、複数の位置を有する第2の最後の取引表示領域を表示するステップ、
を含む、請求項１７に記載の表示方法。
【請求項３２】
更に、
第１の商品について行った最後の取引を表す第１の最後の取引インジケータを、第１の最後の取引表示領域のある位置に表示するステップ、
第２の商品について行った最後の取引を表す第２の最後の取引インジケータを、第２の最後の取引表示領域のある位置に表示するステップ、
を含む、請求項３１に記載の表示方法。
【請求項３３】
上記第１、第２の価格軸を再配置するステップは、対応する商品の最後の取引インジケータは、情報表示領域の中央に表示されるように各静的な価格軸を移動する、請求項３２に記載の表示方法。
【請求項３４】
更に、再配置を行う基礎として特定事項を選択するステップを含み、第１、第２の価格軸を再配置するステップは、特定事項に関連する価格レベルが、第２の時点において、情報表示領域の特定位置に対応するように第１、第２の価格軸を再配置するステップを有する、請求項１７に記載の表示方法。
【請求項３５】
上記特定事項は、最高ビッド価格に関連する、請求項３４に記載の表示方法。
【請求項３６】
上記特定事項は、最低アスク価格に関連する、請求項３４に記載の表示方法。
【請求項３７】
上記特定事項は、最後に取引した価格に関連する、請求項３４に記載の表示方法。
【請求項３８】
第２の時点においての、上記情報表示領域の特定位置は、情報表示領域の中央である、請求項３４に記載の表示方法。
【請求項３９】
更に、第１商品に関する注文を送るコマンドを受ける複数の位置であって、第１の価格軸の一部に沿った価格レベルに対応する位置を有する第１注文エントリ領域を表示するステップ、
第２商品に関する注文を送るコマンドを受ける複数の位置であって、静的な価格軸の一部に沿った価格レベルに対応する位置を有する第２注文エントリ領域を表示するステップ、
を含む、請求項２７に記載の表示方法。
【請求項４０】
上記第１、第２の注文エントリ領域は、ビッド注文エントリ領域及びアスク注文エントリ領域を有する、請求項３９に記載の表示方法。
【請求項４１】
上記ビッド注文エントリ領域は、ビッド表示領域と重なり合い、上記アスク注文エントリ領域は、アスク表示領域と重なり合う、請求項４０に記載の表示方法。
【請求項４２】
更に、ビッド注文エントリ領域の特定位置を選択するユーザ入力装置のアクションに応じて電子取引所に商品の買い注文を送信する、請求項４０に記載の表示方法。
【請求項４３】
更に、ビッド注文エントリ領域の特定位置を選択するユーザ入力装置のアクションに応じて電子取引所に商品の売り注文を送信する、請求項４０に記載の表示方法。
【請求項４４】
グラフィカルユーザインターフェスに複数の商品に関する情報を再配置する、コンピュータで実行可能な方法であって、
複数の商品についての市場情報であって、価格に対応する量の市場情報を受けるステップ、
第１の時点において、静的な価格軸の少なくとも一部に対応し、複数の価格レベルに対応する複数の位置から成る、商品についての情報表示領域を複数個、電子的に表示するステップ、
情報表示領域の価格レベルに対応した位置に、価格レベル毎に商品の量を表す複数の第１のインジケータを電子的に表示するステップ、
複数の商品の内のひとつの商品をマスタ商品として選択するステップ、
マスタ商品の第１情報表示領域の情報を再配置するコマンドを受けるステップ、
上記コマンドに応答して、第２の時点において、情報表示領域の複数の位置が静的な価格軸の異なった位置に対応するように、各静的な価格軸を再配置して、複数の情報表示領域を電子的に再配置するステップ、
を含み、
複数のインジケータは各情報表示領域において移動され、各インジケータが、静的な価格軸の価格レベルに対応するように新しい位置に配置される、方法。
【請求項４５】
請求項４４に記載の方法を実行させるためのプログラムを記録した、コンピュータで読み取り可能な記録媒体。
【請求項４６】
上記複数の情報表示領域のそれぞれは異なったウインドに表示される、請求項４４に記載の方法。
【請求項４７】
上記第１の商品に係る量は、第１の商品のビッド量である、請求項１７に記載の方法。
【請求項４８】
上記第１の商品に係る量は、第１の商品のアスク量である、請求項１７に記載の方法。
【請求項４９】
上記第２の商品に係る量は、第２の商品のビッド量である、請求項１７に記載の方法。
【請求項５０】
上記第２の商品に係る量は、第２の商品のアスク量である、請求項１７に記載の方法。